(57)【特許請求の範囲】
【請求項１】
サッシのクレセント等の近傍に設置され、このクレセント等の施錠、解錠信号を親機に送信する戸締まり確認システム用の子機であって、
この子機が、段部を有し、この段部の境界部に、子機が召合わせ框の見込み面に取り付けられた状態で、室外側及び室内側に連続して延びたレンズを備え、このレンズの内側に本システムの監視下に置かれた場合に点滅或いは点灯するＬＥＤ光源を備え、このＬＥＤ光源の点滅或いは点灯を室外側及び室内側から確認可能に構成したことを特徴とする戸締まり確認システム用の子機。
【請求項２】
上記レンズが室外側及び室内側に延在する曲面形状を備え、その表面に光拡散用の凹凸を備えたことを特徴とする請求項１記載の戸締まり確認システム用の子機。
【請求項３】
上記子機が上記クレセントの上方に配置されていることを特徴とする請求項１または２記載の戸締まり確認システム用の子機。
【請求項４】
上記子機にリードが配置され、このリードの表面上を上記クレセントのレバー部が回動することを特徴とする請求項１ないし３のいずれか一項記載の戸締まり確認システム用の子機。
【請求項５】
複数の上記リードを備え、これらリードが上記クレセントのレバー部の回動方向に所定の間隔をあけて配置されていることを特徴とする請求項４記載の戸締まり確認システム用の子機。
【発明の詳細な説明】
【０００１】
【発明の属する技術分野】
本発明は、建屋に設置された戸締まり確認システム用の子機に関する。
【０００２】
【従来の技術】
一般に、サッシのクレセント近傍に設置され、このクレセントの施錠、解錠信号を送信する複数の子機と、複数の子機からの施錠、解錠信号を受信して、各子機に対応するサッシのクレセントの施錠、解錠状態を表示する親機とを備え、この親機を例えば玄関等に設置し、外出時、或いは就寝時に、この親機で各サッシの戸締まり状態を確認する戸締まり確認システムが知られている。
【０００３】
この種のものでは、上記各子機に少電力化が可能なＬＥＤ光源を設け、各サッシが、戸締まり確認システムの監視下に置かれた場合、それを点滅或いは点灯させ、当該建屋への外部侵入者に戸締まり確認システムの存在を認識させて、建屋への侵入を断念させる構成が採用されている。
【０００４】
【発明が解決しようとする課題】
しかしながら、上記ＬＥＤ光源は点光源であり、これを子機に設置する場合、その点滅或いは点灯を室外側から容易に確認できるようにすると、室内側からはその点滅或いは点灯を確認し難くなるという問題がある。これを解消するために、ランプ等の別の光源に代えた場合、ＬＥＤ光源に比べて小電力化が図れず、子機内蔵の電池消耗が大きくなる。通常、上記サッシに子機を設置した場合、この子機の台数は３０個程度以上とかなりの数になり、多量の子機内蔵の電池交換が頻繁な場合、メンテナンスが困難になるという問題がある。
【０００５】
そこで、本発明の目的は、上述した従来技術が有する課題を解消し、ＬＥＤ光源を用いた上で室外側及び室内側からその点滅或いは点灯を容易に確認できる戸締まり確認システム用の子機を提供することにある。
【０００６】
【課題を解決するための手段】
請求項１記載の発明は、サッシのクレセント等の近傍に設置され、このクレセント等の施錠、解錠信号を親機に送信する戸締まり確認システム用の子機であって、この子機が、段部を有し、この段部の境界部に、子機が召合わせ框の見込み面に取り付けられた状態で、室外側及び室内側に連続して延びたレンズを備え、このレンズの内側に本システムの監視下に置かれた場合に点滅或いは点灯するＬＥＤ光源を備え、このＬＥＤ光源の点滅或いは点灯を室外側及び室内側から確認可能に構成したことを特徴とする。
【０００７】
請求項２記載の発明は、請求項１記載のものにおいて、上記レンズが室外側及び室内側に延在する曲面形状を備え、その表面に光拡散用の凹凸を備えたことを特徴とするものである。
【０００８】
本発明では、ＬＥＤ光源の周りをレンズで覆うことにより、ＬＥＤ光源の点滅或いは点灯を室外側からも室内側からも容易に確認できる。
【０００９】
【発明の実施の形態】
以下、本発明の実施の形態を図面に基づいて説明する。
【００１０】
図１は、戸締まり確認システムを示す。この戸締まり確認システム１は、例えば台所、トイレ、居間、和室、浴室、玄関等に設置された各サッシ１００におけるクレセント３に接続された子機５と、これら複数の子機５に無線で接続された親機７とを備えて構成されている。
【００１１】
この親機７は、例えば玄関に設置され、複数の子機５からのクレセント施錠、解錠信号を受信して、各子機５に対応するサッシ１００の施錠、解錠状態を表示する表示装置９を有する。
【００１２】
図２は、子機５の取付け状態を示す。このサッシ１００は、内障子１０１と外障子１０２とを備える引き違いサッシであり、子機５は、内障子１０１の召合わせ框１０３の見込み面に１０３Ａに固定されている。この子機５はクレセント３に隣接して設けられる。クレセント３は金属製であり、内障子１０１の召合わせ框１０３の見込み面１０３Ａに回動自在に取り付けられたレバー部３Ａと、外障子１０２の召合わせ框１０４に固定された受け部３Ｂと、ロック解除部３Ｃとを備えて構成される。このロック解除部３Ｃによりロックを解除した後、レバー部３Ａを矢印Ａ方向に回動させると、レバー部３Ａのフック３Ｄが受け部３Ｂから外れて解錠されると共に、レバー部３Ａを矢印Ｂ方向に回動させると、レバー部３Ａのフック３Ｄが受け部３Ｂに係合して施錠される。
【００１３】
子機５は三段構造を有する不透明な樹脂製のケース１１を備え、このケース１１は、上記クレセント３のレバー部３Ａの回動を許す下段部１１Ａと、中段部１１Ｂと、上段部１１Ｃとを備えて構成されている。
【００１４】
このケース１１の下段部１１Ａには、図３に示すように、２個のリード１３，１４が設置され、２個のリード１３，１４は、上記レバー部３Ａの回動方向に間隔Ｗを開けて設けられている。
【００１５】
また、中段部１１Ｂと上段部１１Ｃの境界部１１Ｄは、室外側Ｏから室内側Ｉに連続して略円弧状に形成されると共に、図４に示すように、なだらかに傾斜している。この傾斜面１１Ｅには、室外側Ｏから室内側Ｉに連続して略円弧状に延びる開口部が形成され、この開口部には開口と略同形状のレンズ１５が嵌め合わされている。このレンズ１５はその表面に光拡散用の凹凸（図示せず）が形成されている。そして、このレンズ１５の内側には、この子機５が、本システムの監視下に置かれた場合に点滅或いは点灯するＬＥＤ光源１７が設置される。このＬＥＤ光源１７は高輝度赤色ＬＥＤであり、中段部１１Ｂよりも内側に配置され、その光は、中段部１１Ｂよりも外側に形成された傾斜面１１Ｅのレンズ１５を通じて、室外側Ｏにも室内側Ｉにも配光される。
【００１６】
このＬＥＤ光源１７は、チップ部１７Ａと樹脂部１７Ｂとからなり、子機５を、図２に示すように、内障子１０１の召合わせ框１０３の見込み面１０３Ａに固定した場合、この樹脂部１７Ｂの軸線が、鉛直方向下方を向くように配置される。このＬＥＤ光源１７のチップ部１７Ａとリード１３，１４は、ケース１１内の図示を省略した基板に接続される。
【００１７】
つぎに、動作を説明する。
【００１８】
上記ＬＥＤ光源１７は、該当する子機５が、本システムの監視下に置かれた場合に、常時、点滅或いは点灯し、建屋に侵入する者を威嚇する。それにも係わらず、例えば、クレセント３の近傍のガラスを割って、そこから手を入れて、図２に示すクレセント３のレバー部３Ａを矢印Ａ方向に回動させると、レバー部３Ａのフック３Ｄが受け部３Ｂから外れて解錠される。
【００１９】
このレバー部３Ａには磁石（図示せず）が埋設され、クレセント３が閉じた状態では、磁石に対向する一方のリード１３を通じて施錠信号が出力され、この信号が、親機７に対し図示を省略した通信系統を通じて配信され、親機７の表示装置９に、その施錠が表示される。一方、上記のようにクレセント３が開かれて、レバー部３Ａがそれぞれ時間差を持ってリード１３，１４から離れていくと、リード１３，１４を通じて解錠信号が出力され、この信号が、親機７に対し図示を省略した通信系統を通じて配信され、親機７の表示装置９に、その解錠が表示される。外部からの侵入者が、この種の防犯機構に特別な知識を持ち、持ち込んだ磁石をリード１３，１４にあてながら、クレセント３を開ける場合がある。この場合、下段部１１Ａのリード１３，１４が、間隔Ｗで近接して設置されているため、隣接する両方のリード１３，１４が磁気を感知する。この場合、不正解錠として親機７に警報信号が配信される。
【００２０】
上記ＬＥＤ光源１７の位置は、外部からの侵入者にとって、目の高さと同じ位置か、或いはやや高い位置に設置される。
【００２１】
このＬＥＤ光源１７を囲うレンズ１５は、室外側Ｏから室内側Ｉに連続して略円弧状に延びるため、ＬＥＤ光源１７は点光源であっても、この光はその表面に光拡散用の凹凸を備えたレンズ１５によって拡散されるため、このＬＥＤ光源１７の光を、室外側Ｏからも室内側Ｉからも容易に確認することができる。この子機５が、例えば二階部分のサッシ１００に設置されたとしても、上記レンズ１５が傾斜面１１Ｅに設置され、しかもＬＥＤ光源１７の樹脂部１７Ｂの軸線が、鉛直方向下方を向くように配置されるため、下から見上げた場合、このＬＥＤ光源１７の光を容易に確認することができる。また、上記レンズ１５が傾斜面１１Ｅに設置されるため、壁沿いに侵入する侵入者にとって、光が曲線でなく面状に見える。これによれば、壁沿いに侵入する侵入者も、このＬＥＤ光源１７の光を容易に確認することができる。
【００２２】
以上、本発明を上記実施の形態に基づいて説明したが、本発明はこれに限定されるものではない。上記子機５は、クレセント３に取り付けられているが、これに限定されるものではなく、その他のすべての錠に取り付けた場合にも適用が可能なことは言うまでもない。
【００２３】
【発明の効果】
本発明では、ＬＥＤ光源の周りをレンズで覆うため、その点滅或いは点灯を室外側からも室内側からも容易に確認できる。
【図面の簡単な説明】
【図１】本発明による戸締まり確認システム及びサッシの一実施形態を示す図である。
【図２】子機の取り付け状態を示す斜視図である。
【図３】子機の平面図である。
【図４】子機の側面図である。
【符号の説明】
１  戸締まり確認システム
３  クレセント
５  子機
７  親機
９  表示装置
１１  ケース
１３，１４  リード
１５  レンズ
１７  ＬＥＤ光源
１７Ｂ  樹脂部
【図１】
0003833478.tif 000002
【図２】
0003833478.tif 000003
【図３】
0003833478.tif 000004
【図４】
0003833478.tif 000005